(57)【要約】      （修正有）【課題】引き出し式の収納ケースを冷蔵室から直接引き出して、冷蔵庫内の収納物を容易に取り出すことができ、透視部を通じて収納ケースの内部を見ることができる冷蔵庫を提供する。【解決手段】貯蔵物を貯蔵する収納ケース１１ａ〜ｄと、収納ケースを収納する冷蔵室と、冷蔵室に冷気を発生するための冷気発生部と、冷気発生部から冷蔵室に冷気を供給するための冷気供給パイプを配置した冷気供給部と、を有する。冷蔵庫は円筒形状であり、冷蔵室に収納した収納ケースをその前面から出し入れするようにした。収納ケースの前面には、その内部を透視するのための透視部１４が設けられ、透視部を通じて収納ケースの内部を見ることができる。収納ケースは、冷蔵室に複数段に積層されている。【選択図】図１
0003213231.tif 000002
【実用新案登録請求の範囲】
【請求項１】
貯蔵物を貯蔵する収納ケースと、
前記収納ケースを収納する冷蔵室と、
前記冷蔵室に冷気を発生するための冷気発生部と、
前記冷気発生部から冷蔵室に冷気を供給するための冷気供給パイプを配置した冷気供給部と、
を有することを特徴とする冷蔵庫。
【請求項２】
前記冷蔵庫は円筒形状であり、
前記冷蔵室に収納した前記収納ケースをその前面から出し入れするようにしたことを特徴とする請求項１に記載の冷蔵庫。
【請求項３】
前記収納ケースの前面には、
その内部を透視するのための透視部が設けられ、
前記透視部を通じて前記収納ケースの内部を見ることができるように設けられたことを特徴とする請求項１又は２に記載の冷蔵庫。
【請求項４】
前記収納ケースは、
前記冷蔵室に複数段に積層されていることを特徴とする請求項１〜３にいずれか１項に記載の冷蔵庫。
【考案の詳細な説明】
【技術分野】
【０００１】
本考案は、冷蔵庫に係り、より詳細には、冷蔵室から収納ケースを引き出せるようにした構造の冷蔵庫に関する。
【背景技術】
【０００２】
一般に、冷蔵庫は、貯蔵する飲食物を冷蔵する冷蔵室と、冷蔵室の下部に設けられて冷気を発生させる冷気発生部と、冷蔵室を開閉するドアと、を有している。
【０００３】
冷気発生部としては、圧縮機や蒸発器等からなる冷凍サイクルにより冷気を発生させる方法や、ペルチェ素子等の冷却加熱素子を用いて冷気を発生させる方法などがある。
【０００４】
冷凍サイクルは、気体状態の冷媒を高温高圧に圧縮する圧縮機と、圧縮された冷媒を液体状態に凝縮する凝縮器と、液体状態の冷媒を気化して蒸発熱を吸収することにより、周囲の気体を冷却させる蒸発器と、を有している。
【０００５】
ペルチェ素子等を用いた冷却加熱素子は、電流を熱に変換する抵抗体を用いることにより、
機械的に作動する部分をなくして騒音の発生を無くすとともに、設置空間を節約することができるというメリットがある。
【先行技術文献】
【特許文献】
【０００６】
【特許文献１】特開２００６−２９８５５４号公報
【考案の概要】
【考案が解決しようとする課題】
【０００７】
しかし、このような従来の冷蔵庫は、主としてその外観が角形であり、デザイン性に欠けていた。
また、貯蔵物を収納した収納ケースが、冷蔵室の中に納められており、大きな開閉扉を開いたのちに、目的の貯蔵物を取り出すということから、貯蔵物の出し入れが不便であった。
【０００８】
そこで、本考案の目的は、前述した問題点を解決するためのものであり、
大きな開閉扉を廃止した引き出し式の収納ケースを冷蔵室から直接引き出すようにして、
冷蔵庫内の収納物を容易に取り出すことができる構造の冷蔵庫を提供することである。
また、本考案の他の目的は、その内部を透視するのための透視部を設け、
透視部を通じて収納ケースの内部を見ることができる構造の冷蔵庫を提供することである。
【課題を解決するための手段】
【０００９】
上記目的を達成するための本考案の冷蔵庫は、
貯蔵物を貯蔵する収納ケースと、
前記収納ケースを収納する冷蔵室と、
前記冷蔵室に冷気を発生するための冷気発生部と、
前記冷気発生部から冷蔵室に冷気を供給するための冷気供給パイプを配置した冷気供給部と、を有することを特徴とする。
また、本考案の冷蔵庫は、上記において、前記冷蔵庫は円筒形状であり、前記冷蔵室に収納した前記収納ケースをその前面から出し入れするようにしたことを特徴とする。
また、本考案の冷蔵庫は、上記において、前記収納ケースの前面には、その内部を透視するのための透視部が設けられ、前記透視部を通じて前記収納ケースの内部を見ることができるように設けられたことを特徴とする。
また、本考案の冷蔵庫は、上記において、前記収納ケースは、前記冷蔵室に複数段に積層されていることを特徴とする。
【考案の効果】
【００１０】
本考案の冷蔵庫は、大きな開閉扉を廃止した引き出し式の収納ケースを冷蔵室から直接引き出すようにしたので、冷蔵庫内の収納物を容易に取り出すことができる。
また、本考案の冷蔵庫は、内部を透視するのための透視部を設けたので、透視部を通じて収納ケースの内部を見ることができる。
【図面の簡単な説明】
【００１１】
【図１】本考案の実施形態の冷蔵庫の外観斜視図である。
【図２】図１の冷蔵庫から収納トレーを引き出した状態を示す説明図である。
【図３】図１の冷蔵庫の内部の状態を示す説明図であり、（ａ）は図１のＸ−Ｘ断面を示し、（ｂ）は図１のＹ−Ｙ断面を示す。
【考案を実施するための形態】
【００１２】
以下、添付した図面を参照して、本考案に対して詳細に説明する。
図１の外観斜視図、図２の収納トレーを引き出した状態を示す説明図、図３の内部の状態を示す説明図に示すように、
本考案の実施形態の冷蔵庫は、冷蔵庫はその全体外観が円筒形状をしており（例えば、直径３０ｃｍ、高さ５０ｃｍ程度）、
飲食物等の貯蔵物を貯蔵する冷蔵室１０が形成され、
その冷蔵室１０内には、引出式の収納ケース１１（例えば、高さ１２〜１５ｃｍ程度）が収納されている。
【００１３】
実施形態の冷蔵庫では、上方開放の収納ケース１１が、各棚板１０ａ、１０ｂ、１０ｃ、１０ｄを介して積層されている。
上から順に、第１収納ケース１１ａ、第２収納ケース１１ｂ、第３収納ケース１１ｃ、第４収納ケース１１ｄとしている。
なお、収納ケース１１には、その内部に仕切り板を設けることにより、貯蔵物を細分化して冷蔵することもできる。
【００１４】
また、冷蔵室１０の後部には、後部仕切り壁１２を介して、冷蔵室１０と仕切られた冷気発生部２０が設けられており、発生した冷気を、冷気供給パイプ３１を配置した冷気供給部３２を通して冷蔵室１０に供給するようにしている。
【００１５】
冷気発生部２０には、圧縮機や蒸発器等の冷凍サイクル２１が配置され、これらから発生させた冷気を、冷却ファンを利用して冷気供給パイプ３１を配置した冷気供給部３２を通して、冷蔵室１０内の各収納ケース１１ａ、１１ｂ、１１ｃ、１１ｄに供給されるようにしている。
【００１６】
さらに、冷蔵室１０の右側（収納ケース１１に向かって）には、
右側仕切り壁１３を介して、冷気供給パイプ３１を通しての冷気を、
各収納ケース１１ａ、１１ｂ、１１ｃ、１１ｄに供給するための分岐パイプ３１ａ、３１ｂ、３１ｃ、３１ｄが設けられている。
【００１７】
このようにして、冷気発生部２０で発生された冷気は、
冷気発生部２０と連結された冷気供給パイプ３１、及び分岐パイプ３１ａ、３１ｂ、３１ｃ、３１ｄに設けられた小孔を通過して、
それぞれの収納ケースの上方から排出されるようになっている。
【００１８】
また、それぞれの収納ケース１１の前部には、その内部を透視することができるように透視部１３が形成されている。
これにより、収納ケース１１の中に貯蔵されている飲食物を確認することができる。
なお、収納ケース１１の前面には手掛け部１５が設けられ、
この部分に手を掛けて、容易に収納ケース１１の出し入れを行うことができるようになっている。
【産業上の利用可能性】
【００１９】
本考案の冷蔵庫は、大きな開閉扉を廃止した引き出し式の収納ケースを冷蔵室から直接引き出すようにして、冷蔵庫内の収納物を容易に取り出すことができる。
また、本考案の冷蔵庫は、その内部を透視するのための透視部を設け、透視部を通じて収納ケースの内部を見ることができ、種々の冷蔵庫として利用可能性が高い。
【符号の説明】
【００２０】
１０  冷蔵室
１０ａ、１０ｂ、１０ｃ、１０ｄ  棚板
１１、１１ａ、１１ｂ、１１ｃ、１１ｄ   収納ケース
１２  後部仕切り壁
１３  右側仕切り壁
１４  透視部
１５  手掛け部
２０  冷気発生部
２１  冷凍サイクル
３１  冷気供給パイプ
３１ａ、３１ｂ、３１ｃ、３１ｄ  分岐パイプ
３２  冷気供給部
【図１】
0003213231.tif 000003
【図２】
0003213231.tif 000004
【図３】
0003213231.tif 000005